Podtech/llm-jp-corpus-v4-ja_patent huggingface dataset:
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
歪み半導体層を絶縁層の上に有する基板を設ける工程と、
第１導電型を有する第１の複数のデバイスを形成するための第１デバイス領域を設ける工程と、
第１導電型とは異なる第２導電型を有する第２の複数のデバイスを形成するための第２デバイス領域を設ける工程と、
第２デバイス領域の歪み半導体層に第１デバイス領域の歪み半導体層よりも小さい歪みを備えた、厚み増加済み歪み半導体層を形成するために、第２デバイス領域において歪み半導体層の膜厚を増加させる工程と、
前記第１デバイス領域の歪み半導体にソース／ドレイン領域を有した前記第１の複数のデバイスを、及び、前記第２デバイス領域の厚み増加済み歪み半導体層にソース／ドレイン領域を有した前記第２の複数のデバイスを形成する工程であって、
前記第２デバイス領域において歪み半導体層の厚みを増加させる工程の後で、前記厚み増加済み歪み半導体層の一部を削除することによって前記絶縁層を露出する工程と、
前記厚み増加済み歪み半導体の一部を削除する工程の後で、前記厚み増加済み歪み半導体層の側壁に隣接するようにゲート誘電体層を形成する工程とを備える、前記第１及び第２の複数のデバイスを形成する工程と
を備える、半導体構造物の製造方法。
【請求項２】
前記歪み半導体層の膜厚を増加させる工程は、前記歪み半導体層と同一の材料を前記歪み半導体層上に直接にエピタキシャル成長させることによって厚み増加済み歪み半導体層を形成する工程からなる、請求項１記載の半導体構造物の製造方法。
【請求項３】
第１の複数のデバイスは平面型デバイスを含み、第２の複数のデバイスは縦型デバイスを含む、請求項２記載の半導体構造物の製造方法。
【請求項４】
歪み半導体層の膜厚を増加させる工程は、
マスク層を第１領域の上に形成する工程と、
第１領域を除外して第２領域のみにおいて歪み半導体層の膜厚を増加させるべく選択エピタキシャル成長を行う工程とからなる、請求項１記載の半導体構造物の製造方法。
【請求項５】
歪み半導体層の内、エピタキシャル成長が行なわれる部分の膜厚はマスク層の膜厚よりも厚い、請求項４記載の半導体構造物の製造方法。
【手続補正２】
【補正対象書類名】明細書
【補正対象項目名】０００２
【補正方法】変更
【補正の内容】
【０００２】
技術が半導体処理の面で進歩するにつれて、デバイスのサイズが小さくなってきている。しかしながら、デバイスのサイズが小さくなると、これらのデバイスの内部の移動度は通常、例えばリーク電流を制御するために必要となるチャネルドーピング濃度が高くなるので小さくなる。デバイスを小さくすることにより劣化する移動度を高めるために、デバイスが形成されるシリコンに歪みを加えることができる。例えば、ｎ型デバイスの場合には、シリコンに引っ張り歪みを与えて移動度を高めることができ、ｐ型デバイスの場合には、シリコンに圧縮歪みを与えて移動度を高めることができる。ここで、シリコンに大きな歪みを与えることにより、デバイスの特性に影響が現われ、加わる歪みによって変わるが、一方の導電型のデバイスが他方の導電型のデバイスよりも特性が良くなる。また、処理デバイスに使用される表面の結晶方位、及びチャネルの結晶方向もデバイス特性に影響し、この場合、特定の結晶方位及び方向が、一方の導電型のデバイスよりも他方の導電型のデバイスに対して特性が向上するように作用する。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
ＤＰ−ＩＶまたはＤＰ−ＩＶ様の酵素の活性に関連するまたはそれにより引き起こされる病気または疾患の治療のための、Ｐｓｉｄｉｕｍ  ｃａｔｔｌｅｉａｎｕｍ、Ｐｓｉｄｉｕｍ  ｃａｔｔｌｅｉａｎｕｍ  ｓｓｐ．  Ｌｕｃｉｄｕｍ、Ｐｓｉｄｉｕｍ  ｇｕａｊａｖａ、Ｐｓｉｄｉｕｍ  ｇｕｉｎｅｅｎｓｅ、Ｐｓｉｄｉｕｍ  ｌｉｔｔｏｒａｌｅ、Ｐｓｉｄｉｕｍ  ｍｏｌｌｅおよびＰｓｉｄｉｕｍ  ｓｃｈｉｅｄｅａｎｕｍからなるグループから選択される植物の抽出物を含む医薬組成物。
【請求項２】
植物がＰｓｉｄｉｕｍ  ｇｕａｊａｖａである、請求項１に記載の医薬組成物。
【請求項３】
抽出物が葉、果実または植物の樹皮の抽出物である、請求項１または２に記載の医薬組成物。
【請求項４】
抽出物が、水、メタノール、エタノール、アセトン、酢酸エチル、およびそれらの混合物のグループから選択される溶媒を用いて調製された抽出物である、請求項１−３のいずれかに記載の医薬組成物。
【請求項５】
抽出物が固体の形である、請求項１−４のいずれかに記載の医薬組成物。
【請求項６】
グアヤベリンを０．５重量％またはそれ以上、好ましくは１０から５０重量％まで含むことを特徴とする、請求項１−５のいずれかに記載の医薬組成物。
【請求項７】
ＤＰ−ＩＶまたはＤＰ−ＩＶ様の酵素の活性に関連するまたはそれにより引き起こされる病気または疾患の治療のための、グアヤベリンまたはそれらの薬学的に許容される塩またはエステルを含む医薬組成物。
【請求項８】
病気または疾患が糖尿病、肥満、またはアテローム性動脈硬化症などのグルコース代謝疾患である、請求項１−７のいずれかに記載の医薬組成物。
【請求項９】
薬剤として使用するための、Ｐｓｉｄｉｕｍ  ｃａｔｔｌｅｉａｎｕｍ、Ｐｓｉｄｉｕｍ  ｃａｔｔｌｅｉａｎｕｍ  ｓｓｐ．  Ｌｕｃｉｄｕｍ、Ｐｓｉｄｉｕｍ  ｇｕａｊａｖａ、Ｐｓｉｄｉｕｍ  ｇｕｉｎｅｅｎｓｅ、Ｐｓｉｄｉｕｍ  ｌｉｔｔｏｒａｌｅ、Ｐｓｉｄｉｕｍ  ｍｏｌｌｅおよびＰｓｉｄｉｕｍ  ｓｃｈｉｅｄｅａｎｕｍからなるグループから選択される植物の抽出物。
【請求項１０】
栄養成分として、または化粧品中に成分として使用するための、グアヤベリンまたはそれらの薬学的に許容される塩またはエステル、またはＰｓｉｄｉｕｍ  ｃａｔｔｌｅｉａｎｕｍ、Ｐｓｉｄｉｕｍ  ｃａｔｔｌｅｉａｎｕｍ  ｓｓｐ．  Ｌｕｃｉｄｕｍ、Ｐｓｉｄｉｕｍ  ｇｕａｊａｖａ、Ｐｓｉｄｉｕｍ  ｇｕｉｎｅｅｎｓｅ、Ｐｓｉｄｉｕｍ  ｌｉｔｔｏｒａｌｅ、Ｐｓｉｄｉｕｍ  ｍｏｌｌｅおよびＰｓｉｄｉｕｍ  ｓｃｈｉｅｄｅａｎｕｍからなるグループから選択される植物の抽出物を含む組成物。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
肺高血圧の処置、予防または管理のための医薬を製造するための、式Ｉの化合物またはその医薬的に許容し得る塩、多形、溶媒和物、水和物、代謝物、プロドラッグもしくはジアステレオ異性体の使用であって、該式Ｉの化合物が、
【化１】
2009514910.tif 000001
である、使用。
【請求項２】
請求項１に記載の少なくとも１種の式Ｉの化合物および少なくとも１種のエラスターゼ阻害剤および／または１種のキナーゼ阻害剤を含む組合せ。
【請求項３】
キナーゼ阻害剤がグリベックである、請求項２に記載の組合せ。
【請求項４】
請求項１に記載の少なくとも１種の式Ｉの化合物または請求項２ないし請求項３のいずれかに記載の組合せ、並びに、抗凝血剤、利尿剤、強心配糖体、カルシウムチャネル遮断薬、血管拡張剤、プロスタサイクリン類似体、エンドセリンアンタゴニスト、ホスホジエステラーゼ阻害剤、エンドペプチダーゼ阻害剤、脂質低下剤、トロンボキサン阻害剤および肺動脈圧を下げると知られている他の治療剤からなる群から選択される少なくとも１種の治療剤を含む、組合せ。
【請求項５】
さらなる治療剤が、ホスホジエステラーゼＶ阻害剤、エンドセリンアンタゴニストまたはプロスタサイクリン類似体である、請求項４に記載の組合せ。
【請求項６】
さらなる治療剤が、タダラフィル、シルデナフィル、バルデナフィル、ボセンタン、シタキセンタン、イロメジン、トレプロスチニルまたはエポプロステノールである、請求項４に記載の組合せ。
【請求項７】
肺高血圧の処置、予防または管理用の医薬を製造するための、請求項２ないし請求項６のいずれかに記載の組合せの使用。
【請求項８】
請求項２ないし請求項６のいずれかに記載の組合せを含む医薬組成物。
【請求項９】
肺高血圧の処置用の請求項８に記載の医薬組成物。
【請求項１０】
肺高血圧の処置、予防または管理を必要としている対象において、肺高血圧を処置、予防または管理する方法であって、有効量の式Ｉの化合物またはその医薬的に許容し得る塩、多形、溶媒和物、水和物、代謝物、プロドラッグもしくはジアステレオ異性体を投与することを含み、該式Ｉの化合物が、
【化２】
2009514910.tif 000002
である、方法。
【請求項１１】
式Ｉの化合物が、少なくとも１種のエラスターゼ阻害剤および／または１種のキナーゼ阻害剤と組み合わせられる、請求項１０に記載の方法。
【請求項１２】
式Ｉの化合物が、さらに、抗凝血剤、利尿剤、強心配糖体、カルシウムチャネル遮断薬、血管拡張剤、プロスタサイクリン類似体、エンドセリンアンタゴニスト、ホスホジエステラーゼ阻害剤、エンドペプチダーゼ阻害剤、脂質低下剤、トロンボキサン阻害剤および肺動脈圧を下げると知られている他の治療剤からなる群から選択される少なくとも１種の治療剤と組み合わせられる、請求項１０ないし請求項１１のいずれかに記載の方法。
【手続補正２】
【補正対象書類名】明細書
【補正対象項目名】００１７
【補正方法】変更
【補正の内容】
【００１７】
さらなる治療剤
本発明による式Ｉの化合物は、肺高血圧を処置、予防または管理するために現在使用されているさらなる治療剤、例えば、限定ではないが、抗凝血剤、利尿剤、強心配糖体、カルシウムチャネル遮断薬、血管拡張剤、プロスタサイクリン類似体、エンドセリンアンタゴニスト、ホスホジエステラーゼ阻害剤、エンドペプチダーゼ阻害剤、脂質低下剤、トロンボキサン阻害剤および肺動脈圧を下げると知られている他の治療剤などと、組み合わせることができる。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
処置を必要とする患者での関節リウマチの経口処置もしくは予防における使用用医薬の製造での、1種またはそれ以上の薬学的に許容される希釈剤もしくは担体と共に、遊離形もしくは塩形でのカルシトニンおよびカルシトニンのための送達剤を含む医薬組成物の使用であって、該送達剤が、下記の式I
【化１】
2009514912.tif 000001
［式中、
R1、R2、R3、およびR4は、独立して、水素、-OH、-NR6R7、ハロゲン、C1-C4アルキル、またはC1-C4アルコキシであり;
R5は、置換されているか、もしくは非置換のC2-C16アルキレン、置換されているか、もしくは非置換のC2-C16アルケニレン、置換されているか、もしくは非置換のC1-C12アルキル(アリーレン)、または置換されているか、もしくは非置換のアリール(C1-C12アルキレン)であり;そして
R6およびR7は、独立して、水素、酸素、またはC1-C4アルキルである］
で示される化合物ならびにその水和物およびアルコール溶媒和物である、使用。
【請求項２】
処置を必要とする患者での関節リウマチに付随する関節の炎症を阻止することにおける使用用医薬の製造での、請求項1に記載の医薬組成物の使用。
【請求項３】
処置を必要とする患者での関節リウマチに付随する骨格関節の膨張を阻止することにおける使用用医薬の製造での、請求項1に記載の医薬組成物の使用。
【請求項４】
処置を必要とする患者での関節リウマチに付随する軟骨および骨侵食ならびに破壊を阻止するか、停止するかまたは回復させることにおける使用用医薬の製造での、請求項1に記載の医薬組成物の使用。
【請求項５】
処置を必要とする患者での関節リウマチに付随する疼痛を減少させることにおける使用用医薬の製造での、請求項1に記載の医薬組成物の使用。
【請求項６】
該カルシトニンが、サケカルシトニンである、請求項1から5のいずれか1項に記載の使用。
【請求項７】
送達剤が、二ナトリウム塩、アルコール溶媒和物または式Iの化合物の水和物である、請求項1から6のいずれか1項に記載の使用。
【請求項８】
送達剤が、5-CNAC、SNAD、およびSNACならびにそれらの薬学的に許容される塩からなる群から選択される、請求項1から7のいずれか1項に記載の使用。
【請求項９】
該医薬組成物が、5-CNACの二ナトリウム塩、SNADの二ナトリウム塩、およびSNACの二ナトリウム塩からなる群から選択される送達剤を含む、請求項1から7のいずれか1項に記載の使用。
【請求項１０】
該送達剤が、5-CNACの二ナトリウム塩である、請求項9に記載の使用。
【請求項１１】
該送達剤が、微粉化形態である、請求項1から10のいずれか1項に記載の使用。
【請求項１２】
該微粉化送達剤が、20マイクロメーター以下の平均粒径を有する、請求項11に記載の使用。
【請求項１３】
遊離形もしくは塩形でのカルシトニンの量が、0.6 mgから1.2 mgの範囲である、請求項1から12のいずれか1項に記載の使用。
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
免疫機能障害のリスクがあるか又は罹患している被験体の補助的治療において使用するための細胞であって、該細胞は、胚幹細胞、胚生殖細胞又は生殖細胞ではなく；内胚葉性、外胚葉性、中胚葉性の胚系統の少なくとも2種それぞれの少なくとも1種の細胞種に分化することができ；被験体で有害な免疫応答を誘発せず；被験体における免疫機能障害を治療するのに有効であり、かつ、免疫機能障害を治療するために、別の疾患を治療するために、又はこれら両方を治療するために被験体に施される1つ又はそれ以上の他の治療に対して有効な経路と有効な量で補助的に投与される、前記細胞。
【請求項２】
前記細胞は、内胚葉性、外胚葉性、中胚葉性の胚系統それぞれの少なくとも1つの細胞種に分化することができる、請求項1記載の細胞。
【請求項３】
前記細胞はテロメラーゼを発現する、請求項1又は2記載の細胞。
【請求項４】
前記細胞はoct-3/4について陽性である、請求項1〜3のいずれか1項記載の細胞。
【請求項５】
前記細胞は、被験体への投与の前に、培養で少なくとも10〜40回の細胞倍加を受けている、請求項1〜4のいずれか1項記載の細胞。
【請求項６】
前記細胞は被験体に対して同種異系である、請求項1〜5のいずれか1項記載の細胞。
【請求項７】
前記細胞は、前記細胞が投与される前、同時、又は後に施される別の治療に対して補助的に被験体に投与される、請求項1〜6のいずれか1項記載の細胞。
【請求項８】
前記細胞は、被験体の質量1kgあたり104〜108個の前記細胞を含む1回分又は複数回分で被験体に投与される、請求項1〜7のいずれか1項記載の細胞。
【請求項９】
被験体は将来移植を受けるか又はすでに受けており、宿主対移植片反応又は移植片対宿主病のリスクがあるか又はすでに発症しており、前記細胞は移植に対して補助的に投与される、請求項1〜8のいずれか1項記載の細胞。
【請求項１０】
移植は臓器、骨髄、又は血液移植であり、被験体は宿主対移植片反応のリスクがあるか又はすでに発症しており、前記細胞は、宿主対移植片反応を治療するために移植に対して補助的に投与される、請求項9記載の細胞。
【請求項１１】
被験体は放射線、化学療法、又は放射線と化学療法との組合せで治療されているか又は将来治療され、被験体の免疫系は弱められており、前記細胞による治療は放射線、化学療法、又はこれら2つの組合せに対して補助的である、請求項9記載の細胞。
【請求項１２】
前記細胞は、免疫不全の被験体に投与される、請求項9記載の細胞。
【請求項１３】
被験体は免疫抑制剤で将来治療されるか又は治療されており、前記細胞による治療は免疫抑制剤に対して補助的である、請求項10記載の細胞。
【請求項１４】
被験体は新生物、貧血もしくは他の血液疾患、及び免疫機能障害の1つ又はそれ以上のリスクがあるか又は罹患しており、前記細胞による治療はこれらの治療に対して補助的である、請求項1〜13のいずれか1項記載の細胞。
【請求項１５】
被験体は、骨髄増殖性疾患、骨髄異形成症候群、白血病、多発性骨髄腫、リンパ腫、異常ヘモグロビン症、サラセミア、骨髄機能不全症候群、鎌状赤血球貧血、再生不良性貧血、ファンコーニ貧血、免疫性溶血性貧血、先天性免疫不全症、又は自己免疫機能障害の1つ又はそれ以上のリスクがあるか又は罹患しており、前記細胞による治療はこれらの治療に対して補助的である、請求項14記載の細胞。
【請求項１６】
免疫機能障害のリスクがあるか又は罹患している被験体の補助的治療のための医薬の製造における細胞の使用であって、該細胞は、胚幹細胞、胚生殖細胞又は生殖細胞ではなく；内胚葉性、外胚葉性、中胚葉性の胚系統の少なくとも2種それぞれの少なくとも1種の細胞種に分化することができ；被験体で有害な免疫応答を誘発せず；被験体における免疫機能障害を治療するのに有効であり、かつ、免疫機能障害を治療するために、別の疾患を治療するために、又はこれら両方を治療するために被験体に施される1つ又はそれ以上の他の治療に対して有効な経路と有効な量で補助的に投与される、前記使用。
【請求項１７】
前記細胞は、内胚葉性、外胚葉性、中胚葉性の胚系統それぞれの少なくとも1つの細胞種に分化することができる、請求項16記載の使用。
【請求項１８】
前記細胞はテロメラーゼを発現する、請求項16又は17記載の使用。
【請求項１９】
前記細胞はoct-3/4について陽性である、請求項16〜18のいずれか1項記載の使用。
【請求項２０】
前記細胞は、被験体への投与の前に、培養で少なくとも10〜40回の細胞倍加を受けている、請求項16〜19のいずれか1項記載の使用。
【請求項２１】
前記細胞は被験体に対して同種異系である、請求項16〜20のいずれか1項記載の使用。
【請求項２２】
前記細胞は、前記細胞が投与される前、同時、又は後に施される別の治療に対して補助的に被験体に投与される、請求項16〜21のいずれか1項記載の使用。
【請求項２３】
前記細胞は、被験体の質量1kgあたり104〜108個の前記細胞を含む1回分又は複数回分で被験体に投与される、請求項16〜22のいずれか1項記載の使用。
【請求項２４】
被験体は将来移植を受けるか又はすでに受けており、宿主対移植片反応又は移植片対宿主病のリスクがあるか又はすでに発症しており、前記細胞は移植に対して補助的に投与される、請求項16〜23のいずれか1項記載の使用。
【請求項２５】
移植は臓器、骨髄、又は血液移植であり、被験体は宿主対移植片反応のリスクがあるか又はすでに発症しており、前記細胞は、宿主対移植片反応を治療するために移植に対して補助的に投与される、請求項24記載の使用。
【請求項２６】
被験体は放射線、化学療法、又は放射線と化学療法との組合せで治療されているか又は将来治療され、被験体の免疫系は弱められており、前記細胞による治療は放射線、化学療法、又はこれら2つの組合せに対して補助的である、請求項24記載の使用。
【請求項２７】
前記細胞は、免疫不全の被験体に投与される、請求項24記載の使用。
【請求項２８】
被験体は免疫抑制剤で将来治療されるか又は治療されており、前記細胞による治療は免疫抑制剤に対して補助的である、請求項25記載の使用。
【請求項２９】
被験体は新生物、貧血もしくは他の血液疾患、及び免疫機能障害の1つ又はそれ以上のリスクがあるか又は罹患しており、前記細胞による治療はこれらの治療に対して補助的である、請求項16〜28のいずれか1項記載の使用。
【請求項３０】
被験体は、骨髄増殖性疾患、骨髄異形成症候群、白血病、多発性骨髄腫、リンパ腫、異常ヘモグロビン症、サラセミア、骨髄機能不全症候群、鎌状赤血球貧血、再生不良性貧血、ファンコーニ貧血、免疫性溶血性貧血、先天性免疫不全症、又は自己免疫機能障害の1つ又はそれ以上のリスクがあるか又は罹患しており、前記細胞による治療はこれらの治療に対して補助的である、請求項29記載の使用。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
式Ｉ：
【化１】
2009514976.tif 000001
の化合物並びに塩酸、乳酸、マレイン酸、フェノキシ酢酸、プロピオン酸、コハク酸、アジピン酸、アスコルビン酸、樟脳酸、グルコン酸、燐酸、酒石酸、クエン酸、メタンスルホン酸、フマル酸、グリコール酸、ナフタレン−１，５−ジスルホン酸、ゲンチジン酸及びベンゼンスルホン酸からなる群から選択される酸を含む塩。
【請求項２】
前記酸が、塩酸、乳酸、マレイン酸、フェノキシ酢酸、プロピオン酸、コハク酸、アジピン酸、アスコルビン酸、樟脳酸、グルコン酸、燐酸、酒石酸、クエン酸及びメタンスルホン酸からなる群から選択される、請求項１に記載の塩。
【請求項３】
前記酸が、塩酸、乳酸、マレイン酸、フェノキシ酢酸、プロピオン酸及びコハク酸からなる群から選択される、請求項１に記載の塩。
【請求項４】
前記酸がマレイン酸である、請求項１に記載の塩。
【請求項５】
前記酸がプロピオン酸である、請求項１に記載の塩。
【請求項６】
前記塩が式ＩＩ：
【化２】
2009514976.tif 000002
により表わされる、請求項４に記載の塩。
【請求項７】
結晶多形形態を有する、請求項６に記載の塩。
【請求項８】
４．９、９．７、１３．８、１４．１、１５．２、１７．６、１８．５、２０．８、２１．６、２２．７、２４．１、２６．３、２６．８度２θから選択される少なくとも４つの近似固有ピーク位置を有する粉末Ｘ線回折パターンを有する、請求項７に記載の塩。
【請求項９】
４．９、９．７、１１．８、１３．８、１４．１、１５．２、１７．６、１８．５、１９．９、２０．８、２１．６、２２．７、２４．１、２５．０、２６．３、２６．８度２θから選択される少なくとも８つの近似固有ピーク位置を有する粉末Ｘ線回折パターンを有する、請求項７に記載の塩。
【請求項１０】
図１に示す粉末Ｘ線回折パターンに近似した粉末Ｘ線回折パターンを有する、請求項７に記載の塩。
【請求項１１】
図２に示す示差走査熱量測定パターンに近似した示差走査熱量測定を有する、請求項７に記載の塩。
【請求項１２】
望ましくない血栓症を特徴とする哺乳動物における状態を予防又は治療するための薬学的組成物であって、薬学的に許容される担体、及び治療有効量の請求項１〜１１の何れか１項に記載の塩を含む、薬学的組成物。
【請求項１３】
錠剤形態の、請求項１２に記載の薬学的組成物。
【請求項１４】
カプセル剤形態の、請求項１２に記載の薬学的組成物。
【請求項１５】
ロゼンジ剤形態の、請求項１２に記載の薬学的組成物。
【請求項１６】
輸液、注射又は経皮送達に好適な形態の、請求項１２に記載の薬学的組成物。
【請求項１７】
望ましくない血栓症を特徴とする哺乳動物における状態を予防又は治療するための組成物であって、請求項１〜１１の何れか１項に記載の塩を含む、組成物。
【請求項１８】
前記状態が、急性冠動脈症候群、心筋梗塞、不安定狭心症、不応性狭心症、血栓溶解療法後又は冠動脈形成術後に発生する閉塞性冠動脈血栓、血栓媒介性脳血管症候群、塞栓性脳卒中、血栓性脳卒中、一過性虚血発作、静脈血栓症、深部静脈血栓症、肺塞栓、凝固障害、播種性血管内凝固、血栓性血小板減少性紫斑病、閉塞性血栓性血管炎、ヘパリン誘発血小板減少に関連した血栓性疾患、体外循環に関連した血栓性合併症、器械使用に関連した血栓症合併症、及び補てつ具の取付けに関連した血栓性合併症からなる群から選択されるメンバーである、請求項１７に記載の組成物。
【請求項１９】
血液試料の凝固を阻害するための方法であって、該試料を、請求項１〜１１の何れか１項に記載の塩と接触させる工程を含む、方法。
【請求項２０】
式Ｉ：
【化３】
2009514976.tif 000003
の化合物を調製する方法であって、ＬｉＮ（ＣＨ３）２を、式ＩＩＩ：
【化４】
2009514976.tif 000004
の化合物又はその塩と、式Ｉの化合物を形成する条件下において、接触させる工程を含む、方法。
【請求項２１】
式ＩＩＩの化合物の前記塩がＨＣｌ塩である、請求項２０に記載の方法。
【請求項２２】
前記条件が、非極性非プロトン溶媒を使用することを含む、請求項２０に記載の方法。
【請求項２３】
前記溶媒が、テトラヒドロフラン、ジエチルエーテル、ジメトキシメタン、ジオキサン、ヘキサン、メチルｔ−ブチルエーテル、ヘプタン及びシクロヘキサンからなる群から選択されるメンバーである、請求項２２に記載の方法。
【請求項２４】
前記条件が、前記方法を１０℃未満の温度にて行うことを含む、請求項２０に記載の方法。
【請求項２５】
式Ｉの化合物が少なくとも５０％の収率で得られる、請求項２０に記載の方法。
【請求項２６】
式Ｉの化合物が少なくとも６５％の収率で得られる、請求項２０に記載の方法。
【請求項２７】
式Ｉの化合物が少なくとも７５％の収率で得られる、請求項２０に記載の方法。
【請求項２８】
式Ｉの化合物がグラム規模又はキログラム規模で調製される、請求項２０に記載の方法。
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
歯のホワイトニング組成物であって、
酸化剤と、
約４００ｎｍ〜約５７０ｎｍの放射波長を有し、前記酸化剤を活性化することが可能な活性化剤とを含み、前記活性化剤が、エオシン又は、エオシンとエリスロシンの組み合わせからなり、
酢酸ナトリウムもしくは過ホウ酸ナトリウムまたは、その両方を含む歯のホワイトニング組成物。
【請求項２】
生体内で、患者の歯肉内の歯をホワイトニングする歯のホワイトニング組成物であって、
酸化剤と、
約４００ｎｍ〜約５７０ｎｍの放射波長を有し、前記酸化剤を活性化することが可能な活性化剤とを含み、前記活性化剤が、エリスロシンからなり、
酢酸ナトリウムもしくは過ホウ酸ナトリウムまたは、その両方を含む歯のホワイトニング組成物。
【請求項３】
前記組成物は、前記酸化剤を安定させることが可能な安定化剤を更に含み、前記安定化剤を、亜硫酸ナトリウム、ＥＤＴＡ、リン酸、スルホン酸スズから選択する請求項１または２記載の組成物。
【請求項４】
前記組成物が、増粘剤を更に含む請求項１〜３のいずれか１項に記載の組成物。
【請求項５】
前記増粘剤が、二酸化ケイ素及び／又はヒュームド・シリカである請求項４記載の組成物。
【請求項６】
前記組成物が、親水性ゲル化剤を含む請求項１〜５のいずれか１項に記載の組成物。
【請求項７】
前記組成物のｐＨが８〜１０である請求項１〜６のいずれか１項に記載の組成物。
【請求項８】
歯のホワイトニング方法であって、
酸化剤と、約４００ｎｍ〜約５７０ｎｍの放射波長を有し、前記酸化剤を活性化する活性化剤とを含み、前記活性化剤が、エオシン又は、エオシンとエリスロシンの組み合わせからなる歯のホワイトニング組成物を、少なくとも１本の歯に塗布することと、
前記歯のホワイトニング組成物を化学光に、５秒〜１０分間曝すこととを含む歯のホワイトニング方法。
【請求項９】
歯のホワイトニング方法であって、
酸化剤と、約４００ｎｍ〜約５７０ｎｍの放射波長を有し、前記酸化剤を活性化する活性化剤とを含み、前記活性化剤が、エリスロシンからなる歯のホワイトニング組成物を、少なくとも１本の歯に塗布することと、
前記歯のホワイトニング組成物を化学光に、５秒〜１０分間曝すこととを含む歯のホワイトニング方法。
【請求項１０】
５分〜１０分間、歯を光に曝す請求項８又は９記載の方法。
【請求項１１】
塗布当たり５秒未満の間、歯を前記歯のホワイトニング組成物に曝す請求項９または１０記載の方法。
【請求項１２】
請求項１〜７のいずれか１項に記載の歯のホワイトニング組成物と、
該組成物を調製するか、かつ／又は、塗布するための器具とを含む歯のホワイトニングのためのキット。
【請求項１３】
請求項１〜７のいずれか１項に記載の組成物と、
ホワイトニング効果を達成する組成物の塗布時間を決定するための説明書とを含む歯のホワイトニングのためのキット。
【請求項１４】
少なくとも１つの歯に、化学光を少なくとも１回当て、歯のホワイトニング組成物を少なくとも１回塗布して、１分間光に曝すことによって歯を白くすることを含む歯のホワイトニングの方法。
【請求項１５】
３０秒の光への曝露によって歯を白くする請求項１４記載の方法。
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
肉芽腫性酒さの全身性治療に有効な量のアジスロマイシンを含む薬学的組成物。
【請求項２】
請求項１記載の薬学的組成物において、この薬学的組成物は、少なくとも２週間にわたり、毎日又は一日おきに投与されるものである。
【請求項３】
請求項１または２記載の薬学的組成物において、前記アジスロマイシンの用量は、１００〜１０００ｍｇ／回である。
【請求項４】
請求項１〜３のいずれか１つに記載の薬学的組成物において、この薬学的組成物は、経口投与のための錠剤またはカプセルの形態である。
【手続補正２】
【補正対象書類名】明細書
【補正対象項目名】０００５
【補正方法】変更
【補正の内容】
【０００５】
肉芽腫性酒さは、治療するのが困難な疾患であることが判明している。酒さの他の様々なサブタイプに効果的であるほとんどの治療は、肉芽腫性酒さの治療には効果がない。肉芽腫性酒さに有効な治療がかなり必要とされている。
この出願の発明に関連する先行技術文献情報としては、以下のものがある（国際出願日以降国際段階で引用された文献及び他国に国内移行した際に引用された文献を含む）。
【特許文献１】米国特許出願公開第２００２／０１８３３９９号明細書
【非特許文献１】ＦＥＲＮＡＮＤＥＺ−ＯＢＲＥＧＯＮ，Ａ．，Ｏｒａｌ  ｕｓｅ  ｏｆ  ａｚｉｔｈｒｏｍｙｃｉｎ  ｆｏｒ  ｔｈｅ  ｔｒｅａｔｍｅｎｔ  ｏｆ  ａｃｎｅ  ｒｏｓａｃｅａ，  Ａｒｃｈ  Ｄｅｒｍａｔｏｌ，１４０：４８９−４９０（２００４）
【非特許文献２】ＢＡＫＡＲ，Ｏ．ｅｔ  ａｌ，Ｐｈａｒｍａｃｏｌｏｇｙ  ａｎｄ  ｔｈｅｒａｐｅｕｔｉｃｓ：Ｔｈｅｒａｐｅｕｔｉｃ  ｐｏｔｅｎｔｉａｌ  ｏｆ  ａｚｉｔｈｒｏｍｙｃｉｎ  ｉｎ  ｒｏｓａｃｅａ，Ｉｎｔ．Ｊ．Ｄｅｒｍａｔｏｌｏｇｙ，４３（２）：１５１（２００４）（Ａｂｓｔｒａｃｔ  ｏｎｌｙ）
【非特許文献３】ＭｃＨＵＧＨ，ＲＣ  ｅｔ  ａｌ，Ａ  ｔｏｐｉｃａｌ  ａｚｉｔｈｒｏｍｙｃｉｎ  ｐｒｅｐａｒａｔｉｏｎ  ｆｏｒ  ｔｈｅ  ｔｒｅａｔｍｅｎｔ  ｏｆ  ａｃｎｅ  ｖｕｌｇａｒｉｓ  ａｎｄ  ｒｏｓａｃｅａ，Ｊ．Ｄｅｒｍａｔｏｌｏｇｉｃ  Ｔｒｅａｔｍｅｎｔ，１５（５）：２９５（２００４）
【非特許文献４】ＷＩＬＫＩＮ，Ｊ  ｅｔ  ａｌ，Ｓｔａｎｄａｒｄ  ｃｌａｓｓｉｆｉｃａｔｉｏｎ  ｏｆ  ｒｏｓａｃｅａ：Ｒｅｐｏｒｔ  ｏｆ  ｔｈｅ  Ｎａｔｉｏｎａｌ  Ｒｏｓａｃｅａ  Ｓｏｃｉｅｔｙ  Ｅｘｐｅｒｔ  Ｃｏｍｍｉｔｔｅｅ  ｏｎ  ｔｈｅ．．．，Ｊ．Ａｍ．Ａｃａｄ．Ｄｅｒｍａｔｏｌ．，４６：５８４−５８７（２００２）
【非特許文献５】ＫＨＯＫＨＡＲ，Ｏ  ａｎｄ  ＫＨＡＣＨＥＭＯＵＮＥ，Ａ，Ａ  ｃａｓｅ  ｏｆ  ｇｒａｎｕｌｏｍａｔｏｕｓ  ｒｏｓａｃｅａ：Ｓｏｒｔｉｎｇ  ｇｒａｎｕｌｏｍａｔｏｕｓ  ｒｏｓａｃｅａ  ｆｒｏｍ  ｏｔｈｅｒ  ｇｒａｎｕｌｏｍａｔｏｕｓ．．．，Ｄｅｒｍａｔｏｌｏｇｙ  Ｏｎｌｉｎｅ  Ｊｏｕｒｎａｌ，１０（１）：６（２００４）
【非特許文献６】ＫＡＵＲ，Ｓ  ｅｔ  ａｌ，Ｇｒａｎｕｌｏｍａｔｏｕｓ  ｒｏｓａｃｅａ：ｉｓ  ｉｔ  ａ  ｖａｒｉａｎｔ  ｏｆ  ｌｕｐｕｓ  ｍｉｌｉａｒｉｓ  ｄｉｓｓｅｍｉｎａｔｕｓ  ｆａｃｉｅｉ？，Ｉｎｄｉａｎ  Ｊｏｕｒｎａｌ  ｏｆ  Ｄｅｒｍａｔｏｌｏｇｙ，Ｖｅｎｅｒｅｏｌｏｇｙ  ａｎｄ  Ｌｅｐｒｏｌｏｇｙ，６９（７）：５８−６０（２００３）
【非特許文献７】ＰＯＷＥＬＬ，ＦＣ，Ｒｏｓａｃｅａ，Ｎｅｗ  Ｅｎｇｌａｎｄ  Ｊｏｕｒｎａｌ  ｏｆ  Ｍｅｄｉｃｉｎｅ，３５２：７９３−８０３（Ｆｅｂｒｕａｒｙ  ２００５）
【非特許文献８】ＫＵＰＩＥＣ−ＢＡＮＡＳＩＫＯＷＳＫＡ，Ａ，Ｒｏｓａｃｅａ，ｅＭｅｄｉｃｉｎｅ，ｕｐｄａｔｅｄ  Ａｕｇｕｓｔ  ２５，２００５
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
医薬組成物であって、
ａ）脂肪族アミン重合体またはその薬学的に許容される塩と、
ｂ）マグネシウムイオンを含む薬学的に許容されるマグネシウム化合物
とを含み、
前記マグネシウムイオンは、医薬組成物の無水重量あたり５〜３５％である、医薬組成物。
【請求項２】
前記マグネシウム化合物は、酸化マグネシウム、水酸化マグネシウム、炭酸マグネシウム、ギ酸マグネシウム、およびそれらの組合せからなる群から選択される、請求項１に記載の医薬組成物。
【請求項３】
前記脂肪族アミン重合体は、
【化１】
2009514966.tif 000001
【化２】
2009514966.tif 000002
から選択される構造式によって表される１つ以上の繰り返し単位、またはその塩を含み、式中
ｙおよびｚは単独でゼロまたは１から１０の整数であり、
Ｒ、Ｒ１、Ｒ２およびＲ３は単独で、水素、置換または非置換アルキル基、あるいはアリール基であり、
Ｘ−は、交換性負荷電対イオンである、請求項１に記載の医薬組成物。
【請求項４】
前記脂肪族アミン重合体は架橋ポリアリルアミンである、請求項３に記載の医薬組成物。
【請求項５】
前記ポリアリルアミン重合体はセベラマーである、請求項４に記載の医薬組成物。
【請求項６】
前記ポリアリルアミン重合体はセベラマーの塩化物、セベラマーの炭酸塩、またはセベラマーの混合塩化物および混合炭酸塩である、請求項５に記載の医薬組成物。
【請求項７】
前記マグネシウム化合物は酸化マグネシウム、または酸化マグネシウムと水酸化マグネシウムの組合せである、請求項５に記載の医薬組成物。
【請求項８】
医薬組成物であって、
ａ）架橋脂肪族アミン重合体またはその薬学的に許容される塩と、
ｂ）マグネシウムイオンを含む薬学的に許容されるマグネシウム化合物
とを含み、前記マグネシウム化合物は、前記架橋脂肪族アミン重合体内で同伴される、医薬組成物。
【請求項９】
前記マグネシウム化合物は、酸化マグネシウム、水酸化マグネシウム、炭酸マグネシウム、ギ酸マグネシウム、およびその組合せからなる前記群から選択される、請求項８に記載の医薬組成物。
【請求項１０】
前記架橋脂肪族アミン重合体は、
【化３】
2009514966.tif 000003
から選択される構造式によって表される１つ以上の繰り返し単位、またはその塩を含み、式中
ｙおよびｚは単独でゼロまたは１から１０の整数であり、
Ｒ、Ｒ１、Ｒ２およびＲ３は単独で、水素、置換または非置換アルキル基、あるいはアリール基であり、
Ｘ−は交換性負荷電対イオンである、請求項８に記載の医薬組成物。
【請求項１１】
前記肪族アミン重合体は架橋ポリアリルアミンである、請求項１０に記載の医薬組成物。
【請求項１２】
前記架橋ポリアリルアミン重合体はセベラマーである、請求項１１に記載の医薬組成物。
【請求項１３】
医薬組成物であって、
ａ）脂肪族アミン重合体またはその薬学的に許容される塩と、
ｂ）マグネシウムイオンを含む薬学的に許容されるマグネシウム化合物
とを含み、前記マグネシウム化合物は、酸化マグネシウム、水酸化マグネシウム、炭酸マグネシウム、ギ酸マグネシウム、およびその組合せからなる前記群から選択される、医薬組成物。
【請求項１４】
前記脂肪族アミン重合体は、
【化４】
2009514966.tif 000004
から選択される構造式によって表される１つ以上の繰り返し単位、またはその塩を含み、式中
ｙおよびｚは単独でゼロまたは１から１０の整数であり、
Ｒ、Ｒ１、Ｒ２およびＲ３は単独で水素、置換または非置換アルキル基、あるいはアリール基であり、
Ｘ−は交換性負荷電対イオンである、請求項１３に記載の医薬組成物。
【請求項１５】
前記脂肪族アミン重合体は架橋ポリアリルアミンである、請求項１４に記載の医薬組成物。
【請求項１６】
前記ポリアリルアミン重合体はセベラマーである、請求項１５に記載の医薬組成物。
【請求項１７】
医薬組成物であって、
ａ）脂肪族アミン重合体またはその薬学的に許容される塩と、
ｂ）マグネシウムイオンを含む薬学的に許容されるマグネシウム化合物
とを含み、
前記脂肪族アミン重合体におけるアミン窒素原子に対するマグネシウムイオンのモル比は０．４〜３．０である、医薬組成物。
【請求項１８】
前記マグネシウム化合物は、酸化マグネシウム、水酸化マグネシウム、炭酸マグネシウム、ギ酸マグネシウム、およびその組合せからなる前記群から選択される、請求項１７に記載の医薬組成物。
【請求項１９】
前記脂肪族アミン重合体は、
【化５】
2009514966.tif 000005
から選択される構造式によって表される１つ以上の繰り返し単位、またはその塩を含み、式中
ｙおよびｚは単独でゼロまたは１から１０の整数であり、
Ｒ、Ｒ１、Ｒ２およびＲ３は単独で水素、置換または非置換アルキル基、あるいはアリール基であり、
Ｘ−は交換性負荷電対イオンである、請求項１７に記載の医薬組成物。
【請求項２０】
前記脂肪族アミン重合体は架橋ポリアリルアミンである、請求項１９に記載の医薬組成物。
【請求項２１】
前記ポリアリルアミン重合体はセベラマーである、請求項２０に記載の医薬組成物。
【請求項２２】
患者における高リン血症の治療用組成物であって、
ａ）脂肪族アミン重合体またはその薬学的に許容される塩と、
ｂ）マグネシウムイオンを含む薬学的に許容されるマグネシウム化合物
とを含み、
前記マグネシウムイオンは、前記医薬組成物の無水重量あたり５〜３５％である、組成物。
【請求項２３】
患者における高リン血症の治療用組成物であって、
ａ）架橋脂肪族アミン重合体またはその薬学的に許容される塩と、
ｂ）マグネシウムイオンを含む、薬学的に許容されるマグネシウム化合物
とを含み、前記マグネシウム化合物は前記架橋脂肪族アミン重合体内で同伴される、組成物。
【請求項２４】
患者における高リン血症の治療用組成物であって、
ａ）脂肪族アミン重合体またはその薬学的に許容される塩と、
ｂ）マグネシウムイオンを含む、薬学的に許容されるマグネシウム化合物
とを含み、前記マグネシウム化合物は、酸化マグネシウム、水酸化マグネシウム、炭酸マグネシウム、ギ酸マグネシウム、およびその組合せからなる前記群から選択される、組成物。
【請求項２５】
患者における高リン血症の治療用組成物であって、
ａ）脂肪族アミン重合体またはその薬学的に許容される塩と、
ｂ）マグネシウムイオンを含む、薬学的に許容されるマグネシウム化合物
とを含み、
前記脂肪族アミン重合体における前記アミン窒素原子に対する前記マグネシウムイオンの前記モル比は０．４〜３．０である、組成物。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
（ａ）１，３−ジクロロ−１，１，２，２，３−ペンタフルオロプロパンおよび少なくとも１つの他の塩素置換Ｃ２−Ｃ４ハロカーボン化合物を含んでなるハロカーボン混合物を提供する工程；および
（ｂ）該１，３−ジクロロ−１，１，２，２，３−ペンタフルオロプロパンの相当な部分を還元せずに、該少なくとも１つの他の塩素置換Ｃ２−Ｃ４ハロカーボン化合物の少なくとも相当な部分を還元するのに有効な条件下で、該混合物を還元剤と接触させる工程
を含んでなる、ハロカーボン混合物を選択的に還元する方法。
【請求項２】
該少なくとも１つの他の塩素置換Ｃ２−Ｃ４ハロカーボン化合物が、少なくとも１つのＣ３ヒドロクロロフルオロカーボンを含んでなり、かつ、該接触工程において、該少なくとも１つのＣ３ヒドロクロロフルオロカーボンの少なくとも一部を、ＣＦ３ＣＦ２ＣＨ３（ＨＦＣ−２４５ｃｂ）、ＣＦ３ＣＦ２ＣＨ２Ｃｌ（ＨＣＦＣ−２３５ｃａ）、ＣＦ３ＣＦ＝ＣＨ２（ＨＦＣ−１２３４ｙｆ）、ＣＦ３ＣＦ＝ＣＦＨ（ＨＦＣ−１２２５ｙｅ）およびこれらの組み合わせからなる群から選択される化合物に転化する、請求項１の方法。
【請求項３】
（ａ）１，３−ジクロロ−１，１，２，２，３−ペンタフルオロプロパンを含んでなるハロカーボン混合物を提供する工程；および
（ｂ）該混合物を還元剤と接触させて、少なくとも１つのＣ３ヒドロフルオロカーボンを製造する工程
を含んでなるＣ３ヒドロフルオロカーボンの製造方法であって、該還元剤がギ酸アンモニウムである方法。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
３つの炭素原子を有するフッ素化オレフィンの調製方法であって、式（Ｉ）の化合物と式（ＩＩ）の化合物を接触させることを含んでなる調製方法：
【化１】
2009514955.tif 000001
【化２】
2009514955.tif 000002
式中、Ｒ１ａ、Ｒ２ｂ、およびＲ３ｃはそれぞれ独立にＨまたはフッ素、塩素、臭素およびヨウ素からなる群より選択されたハロゲンである、ただし、式（Ｉ）の化合物は少なくとも３つのハロゲン置換基を有し、かつこれらの３つのハロゲン置換基は少なくとも１つのフッ素を含み；ａ、ｂおよびｃはそれぞれ独立に０、１、２または３で、（ａ＋ｂ＋ｃ）＝２または３であり；ｎは０または１であり、該接触工程は３つの炭素原子に少なくとも１つのフッ素置換基を有する少なくとも１つのオレフィンを効果的に製造する条件下で行われる。
【請求項２】
式（Ｉ）において、Ｒ１がＦ、ａが３、Ｒ２がＣｌかつｂが１である、請求項１の方法。
【請求項３】
式（Ｉ）において、Ｒ１、Ｒ２、およびＲ３のそれぞれが水素であり、かつａ＋ｂ＋ｃ＝３である、請求項１の方法。
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2009514925.tif 000001
（式中、
Ｒ1及びＲ2は、各々、互いに独立して、炭素原子数１ないし１０のアルキル基又は炭素原子数３ないし８のシクロアルキル基を表わし、
Ｒ3は、水素原子又は炭素原子数１ないし４のアルキル基を表わし、及び、
光化学的に開裂される基Ｒ4ＯＨは、香料、ＵＶ吸収剤、抗菌剤、防曇剤及び透明剤か
らなる群から選択されるが、
但し、Ｒ1及びＲ2が第三ブチル基を表わし、かつＲ3が水素原子を表わす場合、Ｒ4はメチル基又はフェニル基を表わさない。）で表わされる光潜在性化合物。
【請求項２】
Ｒ1及びＲ2が、各々、互いに独立して、炭素原子数１ないし１０のアルキル基又は炭素原子数３ないし８のシクロアルキル基を表わし、
Ｒ3が、水素原子又は炭素原子数１ないし４のアルキル基を表わし、
Ｒ4が、未置換の炭素原子数１ないし２５のアルキル基、炭素原子数３ないし２５のア
ルケニル基、炭素原子数３ないし２５のアルキニル基、炭素原子数６ないし１０のアリール基、炭素原子数３ないし１２のシクロアルキル基又は炭素原子数３ないし１２のシクロアルケニル基；又は、炭素原子数１ないし１８のアルキル基、炭素原子数２ないし１８のアルケニル基、炭素原子数３ないし１８のアルキニル基、炭素原子数３ないし１２のシクロアルキル基、炭素原子数１ないし１８のアルコキシ基、ヒドロキシル基、炭素原子数２ないし１８のアルコキシカルボニル基、ホルミル基、炭素原子数１ないし１８のアルキルチオ基、炭素原子数１ないし１８のアルキルスルフィニル基、炭素原子数１ないし１８のアルキルスルホニル基、ハロゲン原子、カルボキシ基、炭素原子数２ないし１８のカルボキシアルキル基、炭素原子数２ないし１８のカルボキシアルコキシ基、炭素原子数３ない
し１８のアルコキシカルボニルアルキル基、炭素原子数３ないし１８のアルコキシカルボニルアルコキシ基、炭素原子数７ないし９のフェニルアルキル基、フェノキシ基、ハロゲン原子で置換されたフェノキシ基、
【化２】
2009514925.tif 000002
で置換された炭素原子数１ないし２５のアルキル基、炭素原子数３ないし２５のアルケニル基、炭素原子数３ないし２５のアルキニル基、炭素原子数６ないし１０のアリール基、炭素原子数３ないし１２のシクロアルキル基及び炭素原子数３ないし１２のシクロアルケニル基を表わし、
Ｒ5が、水素原子、炭素原子数１ないし４のアルキル基又はハロゲン原子を表わし、及
び
Ｒ6及びＲ7が、各々、互いに独立して、フェニル基又は炭素原子数１ないし４のアルキル基で置換されたフェニル基を表わすが、
但し、Ｒ1及びＲ2が第三ブチル基を表わし、かつＲ3が水素原子を表わす場合、Ｒ4はメチル基又はフェニル基を表わさないところの、請求項１に記載の光潜在性化合物。
【請求項３】
ａ）工業材料、及び
ｂ）請求項１に記載の式（Ｉ）で表わされる光潜在性化合物の少なくとも１種
を含む組成物。
【請求項４】
成分（ａ）が、溶媒、ワックス、フィルム形成バインダー、塗料、コーティング、天然又は合成ポリマー、繊維、紙、洗浄剤、研磨剤、柔軟剤、シャンプー、ヘアコンディショナー、ヘアスプレー、石鹸、バス又はシャワージェル又はボディデオドラントである請求項３に記載の組成物。
【請求項５】
成分（ａ）及び（ｂ）に加えて、更に、更なる添加剤を含む請求項３に記載の組成物。
【請求項６】
更なる添加剤として、フェノール系抗酸化剤、光安定剤及び／又は加工安定剤を含む請求項５に記載の組成物。
【請求項７】
請求項１に記載の式（Ｉ）で表わされる光潜在性化合物を光で照射することを含む、香料、ＵＶ吸収剤、抗菌剤、防曇剤及び透明剤を放出するための方法。
【請求項８】
式（Ｉａ）
【化３】
2009514925.tif 000003
（式中、
Ｒ1及びＲ2は、各々、互いに独立して、炭素原子数１ないし１０のアルキル基又は炭素原子数３ないし８のシクロアルキル基を表わし、
Ｒ3は、水素原子又は炭素原子数１ないし４のアルキル基を表わし、及び、
Ｘは、塩素原子、臭素原子又はヨウ素原子を表わすが、
但し、Ｘが塩素原子を表わす場合、Ｒ1はイソ−プロピル基、第二ブチル基又はシクロ
ヘキシル基を表わし、かつＲ2はシクロヘキシル基を表わし、
また、Ｘが臭素原子を表わす場合、Ｒ1及びＲ2はシクロヘキシル基を表わす。）で表わされる化合物。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
輻射線吸収化合物と、親水性表面を有する基材とを含むポジ型の画像形成可能な要素であって、前記基材の上に、順に、
アルカリ性現像液を使用して除去可能であり、かつ、その反復単位の1〜50 mol%が下記構造式(Ｉ):
【化１】
2009514035.tif 000001
(式中、R1、R2、R3およびR4は独立に水素、低級アルキルまたはフェニルであり、nは1〜20である)
で表されるエチレン系不飽和重合性モノマーの一種または二種以上から誘導されたポリマー材料を含む内層と、
前記輻射線吸収化合物を実質的に含有せず、かつ、熱で画像を形成させる前にアルカリ性現像液により除去できないインク受容性外層と、
を備え、熱で画像を形成させると、当該要素の画像形成領域がアルカリ性現像液により除去可能であるポジ型の画像形成可能な要素。
【請求項２】
前記内層のポリマー材料が、下記構造式(II):
【化２】
2009514035.tif 000002
(式中、Aは下記構造式(Ｉa):
【化３】
2009514035.tif 000003
で表される反復単位を表し、
Bは酸性官能基またはN-マレイミド基を含む反復単位を表し、
CはAおよびBとは異なる反復単位を表し、全反復単位を基準として、xは1〜50 mol%であり、yは40〜90 mol%であり、およびzは0〜70 mol%である)
で表される請求項1に記載の画像形成可能な要素。
【請求項３】
Aが、N-ヒドロキシメチルアクリルアミドおよびN-ヒドロキシメチルメタクリルアミドの一方または両方から誘導された反復単位を表し、
Bが、N-フェニルマレイミド、N-シクロヘキシルマレイミド、N-ベンジルマレイミド、N-(4-カルボキシフェニル)マレイミド、（メタ）アクリル酸およびビニル安息香酸のうちの一種または二種以上から誘導された反復単位を表し、
Cが、スチレン系モノマー、メタ（アクリレート）エステル、N-置換（メタ）アクリルアミド、無水マレイン酸、（メタ）アクリロニトリル、アクリル酸アリルおよび下記構造式(III ):
【化４】
2009514035.tif 000004
(式中、Rは水素、メチルまたはハロであり、Xは2〜12個の炭素原子を有するアルキレンであり、mは1〜3である)
で表される化合物のうちの一種または二種以上から誘導された反復単位を表し、
全反復単位を基準として、xは10〜40 mol%であり、yは40〜70 mol%であり、およびzは0〜50 mol%である請求項2に記載の画像形成可能な要素。
【請求項４】
前記外層が、フェノール樹脂および任意選択的に少なくとも0.1質量%の溶解阻害剤を含む請求項1〜3のいずれか一項に記載の画像形成可能な要素。
【請求項５】
前記フェノール樹脂が極性基を含む請求項4に記載の画像形成可能な要素。
【請求項６】
A)請求項1〜5のいずれか一項に記載のポジ型の画像形成可能な要素に、熱で画像を形成させて、画像形成領域と非画像形成領域を有し、かつ、前記画像形成領域が、当該要素の熱による画像形成の後、アルカリ性現像液により除去可能である画像形成済要素を形成させる工程、
B)前記画像形成済要素をアルカリ性現像液に接触させて、前記画像形成領域のみを除去して親水性基材を露出させる工程、次いで
C)任意選択的に、画像形成および現像後の前記画像形成可能な要素を焼付けする工程、
を含む画像形成方法。
【請求項７】
前記アルカリ性現像液が溶媒ベースのアルカリ性現像液である請求項6に記載の方法。
【請求項８】
前記画像形成され現像された要素が、ポジ型の平版印刷版である請求項6または7に記載の方法。